(57)【要約】【課題】テンター装置のフィルム把持手段の屈曲部からオイル飛散を防止する。【解決手段】フィルムの両端を把持するフィルム把持手段、及び、フィルムに熱風を吹き付けてフィルムの熱処理を行うフィルム熱処理手段を有するテンター装置としたとき  前記フィルム把持手段は、フィルムを把持するクリップチェーンを有し、  前記クリップチェーンは、前記フィルム熱処理手段の入り口でフィルムを把持し、把持経路を走行した後、前記フィルム熱処理手段の出口でフィルムを開放する構造であって、  前記把持経路の一部若しくは全部に、熱風からクリップチェーンを保護する把持経路カバー手段を有する、テンター装置。【選択図】図３
2015030185.tif 000002
【特許請求の範囲】
【請求項１】
フィルムの両端を把持するフィルム把持手段、及び、フィルムに熱風を吹き付けてフィルムの熱処理を行うフィルム熱処理手段を有するテンター装置であって、
前記フィルム把持手段は、フィルムを把持するクリップチェーンを有し、
前記クリップチェーンは、前記フィルム熱処理手段の入り口でフィルムを把持し、把持経路を走行した後、前記フィルム熱処理手段の出口でフィルムを開放する構造であって、
前記把持経路の一部若しくは全部に、熱風からクリップチェーンを保護する把持経路カバー手段を有することを特徴とする、テンター装置。
【請求項２】
前記把持経路カバー手段は、カバー内を排気する排気手段を有することを特徴とする、請求項１に記載のテンター装置。
【請求項３】
前記把持経路の少なくとも屈曲部に、前記把持経路カバー手段を有し、
該把持経路の屈曲部の把持経路カバー手段が、排気手段を有することを特徴とする、請求項１又は２に記載のテンター装置。
【請求項４】
前記排気手段は、フィルタ手段、及び、把持経路の移動に追従するフレキシブルダクトを有することを特徴とする、請求項１〜３のいずれかに記載のテンター装置。
【請求項５】
前記排気手段は、１ヶ所あたりの排気風量が５〜２０Nm３／minであることを特徴とする、請求項１〜４のいずれかに記載のテンター装置。
【請求項６】
請求項１〜５のいずれかに記載のテンター装置を用いたことを特徴とするフィルム製造装置。
【発明の詳細な説明】
【技術分野】
【０００１】
フィルムを横延伸するためのテンター装置において、フィルムの両端を把持するフィルム把持手段に関する。
【背景技術】
【０００２】
二軸延伸ポリエステルフィルムなどのフィルムの製造装置としては、口金からシート状に吐出してキャストドラム上で冷却固化した未延伸フィルムを、縦延伸機でフィルムの搬送方向に延伸した後、テンター装置でフィルムの幅方向に延伸する逐次二軸延伸法や、前記未延伸フィルムをテンター装置でフィルムの搬送方向とフィルムの幅方向とに延伸する同時二軸延伸法などが知られている。
【０００３】
これらの製造方法に用いられるテンター装置は、フィルムの両端を把持するフィルム把持手段、及び、フィルムに熱風を吹き付けてフィルムの熱処理を行うフィルム熱処理手段、及び、フィルム把持手段にオイルを供給するオイル供給手段を有している。また、フィルム把持手段は、フィルムを把持するクリップチェーン及びカバー手段及びレール手段及び駆動手段とを有している。
【０００４】
このようなテンター装置はこれまで種々のものが提案されてきた。
【０００５】
特許文献１では、クリップチェーンを個別に冷却する構造が開示されている。特許文献２では、幅可変ノズルによりフィルム把持手段に熱風があたらないようにする構造が開示されている。
【先行技術文献】
【特許文献】
【０００６】
【特許文献１】特開平２−１８２６５４号公報
【特許文献２】特開２０１２−２１１７３１号公報
【発明の概要】
【発明が解決しようとする課題】
【０００７】
前記特許文献１に記載の発明は、フィルムを把持するクリップチェーンを冷却することにより、クリップチェーンに供給されたオイルは温度低下し、温度低下に伴い粘度が上昇し小さな粒で飛び散ることが少なくなったが、むしろ大きな粒で飛び散ってしまうという問題があった。
【０００８】
前記特許文献２に記載の発明は、幅可変ノズルから噴出された熱風がフィルム把持手段に直接あたらないが、幅可変ノズル端部から噴出された熱風がフィルムに強くあたりその後カバー手段の中に入り、その後レール手段の屈曲部においてクリップチェーンに供給されたオイルミストと共にカバー手段の外に出てくるという問題があった。
【課題を解決するための手段】
【０００９】
本発明の上記目的は、以下の発明によって基本的に達成された。つまり本発明は以下である。
（１）  フィルムの両端を把持するフィルム把持手段、及び、フィルムに熱風を吹き付けてフィルムの熱処理を行うフィルム熱処理手段を有するテンター装置であって、
前記フィルム把持手段は、フィルムを把持するクリップチェーンを有し、
前記クリップチェーンは、前記フィルム熱処理手段の入り口でフィルムを把持し、把持経路を走行した後、前記フィルム熱処理手段の出口でフィルムを開放する構造であって、
前記把持経路の一部若しくは全部に、熱風からクリップチェーンを保護する把持経路カバー手段を有することを特徴とする、テンター装置。
（２）  前記把持経路カバー手段は、カバー内を排気する排気手段を有することを特徴とする、（１）に記載のテンター装置。
（３）前記把持経路の少なくとも屈曲部に、前記把持経路カバー手段を有し、
該把持経路の屈曲部の把持経路カバー手段が、排気手段を有することを特徴とする、（１）又は（２）に記載のテンター装置。
（４）  前記排気手段は、フィルタ手段、及び、把持経路の移動に追従するフレキシブルダクトを有することを特徴とする、（１）〜（３）のいずれかに記載のテンター装置。
（５）  前記排気手段は、１ヶ所あたりの排気風量が５〜２０Nm３／minであることを特徴とする、（１）〜（４）のいずれかに記載のテンター装置。
（６）（１）〜（５）のいずれかに記載のテンター装置を用いたことを特徴とするフィルム製造装置。
【発明の効果】
【００１０】
オイル欠点の無いフィルムの製造が可能なテンター装置を提供する。
【図面の簡単な説明】
【００１１】
【図１】本発明のテンター装置のフィルム把持手段の概略断面図
【図２】本発明のテンター装置のフィルム把持手段の概略断面図
【図３】本発明のテンター装置の平面概略図
【図４】本発明のテンター装置の平面概略図
【図５】フィルムの概略図
【図６】フィルムの概略図
【発明を実施するための形態】
【００１２】
以下に、本発明の実施形態を、図面を参照しながら説明する。
【００１３】
図３、４は本発明のテンター装置の平面概略図である。
【００１４】
図３においてフィルム２は、フィルム熱処理手段４の入り口でフィルム把持手段３により両端を把持され、フィルム熱処理手段４の予熱ゾーン１４で所定の温度に加熱した熱風をフィルム２に吹き付けることでフィルム２は所定の温度に加熱され、延伸ゾーン１５では延伸に適した温度に加熱した熱風をフィルム２に吹き付けることで、フィルム２は延伸に適した温度に加熱された上で延伸され、熱固定ゾーン１６では熱固定に適した温度に加熱した熱風をフィルム２に吹き付けることで、フィルム２を熱固定に適した温度に加熱することで熱固定される。フィルム把持手段３はフィルム熱処理手段４の入り口でフィルム２を把持後、フィルム熱処理手段４内の把持経路５の複数の屈曲部６を通って出口でフィルム２を開放し、フィルム熱処理手段４の中のリターン経路１０を通って入り口に戻る。リターン経路１０ではフィルム把手段３にフィルム熱処理手段４の予熱・延伸・熱固定のそれぞれの熱風がフィルム把持手段３にあたらないようにカバー手段を有することが望ましい。リターン経路１０のカバー手段は密閉系でかつ断熱し冷却用冷風の供給手段と冷風の排気手段とを有していることが望ましい。把持経路５もフィルム把手段３にフィルム熱処理手段４の熱風がフィルム把持手段３にあたらないようにカバー手段を有することが望ましい。フィルム２を把持しているために密閉系にはできないが、可能な限り囲うことが望ましい。
【００１５】
図４においてフィルム２は、フィルム熱処理手段４の入り口でフィルム把持手段３により両端を把持され、フィルム熱処理手段４の予熱ゾーン１４で所定の温度に加熱した熱風をフィルム２に吹き付けることでフィルム２は所定の温度に加熱され、延伸ゾーン１５では延伸に適した温度に加熱した熱風をフィルム２に吹き付けることで、フィルム２は延伸に適した温度に加熱された上で延伸され、熱固定ゾーン１６では熱固定に適した温度に加熱した熱風をフィルム２に吹き付けることで、フィルム２は熱固定に適した温度に加熱され熱固定される。フィルム把持手段３はフィルム熱処理手段４の入り口でフィルム２を把持後、フィルム熱処理手段４内の把持経路５の複数の屈曲部６を通って出口でフィルム２を開放し、フィルム熱処理手段４の外側のリターン経路１０を通って入り口に戻る。リターン経路１０ではフィルム把手段３に外の空気があたらないようにカバー手段を有することが望ましい。リターン経路１０のカバー手段は密閉系でかつ断熱し冷却用冷風の供給手段と冷風の排気手段とを有していることが望ましい。把持経路５もフィルム把手段３にフィルム熱処理手段４の熱風がフィルム把持手段３にあたらないようにカバー手段を有することが望ましい。フィルム２を把持しているために密閉系にはできないが、可能な限り囲うことが望ましい。
【００１６】
図１、２は、本発明のテンター装置１のフィルム把持手段の屈曲部の概略断面図である。
【００１７】
図１は、リターン経路１０がテンター装置１の内部を通る構成を示しており、図３のテンター装置の断面図である。この場合テンター装置１は、フィルム把持手段３の把持経路５とリターン経路１０とが隣接しているが、把持経路５とリターン経路１０との間で内部の風が行き来しない構造であることが望ましい。排気手段８は把持経路５の把持経路カバー手段７に接続され、固定配管１８とフレキシブルダクト９とフィルタ１９からなることが望ましい。またリターン経路１０は断熱カバー１７により断熱され、図示しない冷却手段により中のクリップチェーン１２が冷却されることが望ましい。クリップチェーン１２のベアリング１３には図示しないオイル供給手段によりオイルが供給される。１ヶ所の排気手段から排気される排気風量は５Nm３／ｍｉｎ〜１０Nm３／ｍｉｎが望ましく、内径φ８０ｍｍの配管として風速は１７ｍ／ｓｅｃ〜３４ｍ／ｓｅｃが望ましい。
【００１８】
図２は、リターン経路１０がテンター装置１の外部を通る構成を示しており、図４のテンター装置１の断面図である。この場合テンター装置１は、リターン経路１０と把持経路５とは完全に分離されている。排気手段８は把持経路５の把持経路カバー手段７に接続され、固定配管１８とフレキシブルダクト９とフィルタ１９からなることが望ましい。またリターン経路１０は断熱カバー１７により断熱され、図示しない温度調整手段により中のクリップチェーン１２が温度調整されることが望ましい。１ヶ所の排気手段８から排気される排気風量は５Nm３／ｍｉｎ〜２０Nm３／ｍｉｎが望ましく、内径φ１４０ｍｍの配管として風速は５．５ｍ／ｓｅｃ〜２２ｍ／ｓｅｃが望ましい。
【００１９】
図１、３に示すテンター装置１の場合、テンター装置１自体を小型化することが可能であるが、リターン経路１０を冷却する必要がある。
【００２０】
一方図２、４に記載のテンター装置１の場合、図１、３に示すテンター装置１と同じ幅のフィルム２を製造する場合であっても、センター装置１自体の大きさが大きくなる。しかしリターン経路１０の冷却は必須ではなく、所定の温度にコントロールする程度でよい。
【００２１】
図５、６はフィルム２の平面図を示す。図５は、従来のテンター装置１で製造したフィルム２の製品にはベアリング１３に供給されたオイルがベアリングの遠心力などにより吹き飛ばされ付着しオイル欠点１１となる。図６は、本発明のテンター装置１で製造したフィルム２の製品にはベアリング１３に供給されたオイルの付着は無い。
【００２２】
１ヶ所の排気手段８から排気される排気風量は、５Nm３／ｍｉｎ未満であると排気効果が少なく、オイル欠点を無くすことができない。また１ヶ所の排気手段８から排気される排気風量は、２０Nm３／ｍｉｎを越えるとテンター装置１の風量バランスが崩れてしまうのでこれ以上上げることはできない。
【実施例】
【００２３】
以下、本発明の実施例を説明する。
【００２４】
実施例１
図１、３に示すテンター装置でPETフィルムを製造した。ここでＰＥＴとは、ポリエチレンテレフタレートの略である。
【００２５】
フィルム２の走行速度は１００ｍ／分で、フィルム厚みが１００μｍ、１ヶ所あたりの排気手段８の風量を５Nm３／ｍｉｎとしフィルム１２の長さ１，０００ｍを検査した結果、オイル欠点１１発生は無く良好なフィルムが製造できた。
【００２６】
実施例２
図２、４に示すテンター装置でPETフィルムを製造した。フィルム２の走行速度は１００ｍ／分で、フィルム厚みが１００μｍ、１ヶ所あたりの排気手段８の風量を２０Nm３／ｍｉｎとしフィルム１２の長さ１，０００ｍを検査した結果、オイル欠点１１発生は無く良好なフィルムが製造できた。
【００２７】
比較例１  
図１、３に示すテンター装置でPETフィルムを製造した。ここでＰＥＴとは、ポリエチレンテレフタレートの略である。
【００２８】
フィルム２の走行速度は１００ｍ／分で、フィルム厚みが１００μｍ、１ヶ所あたりの排気手段８の風量を０Nm３／ｍｉｎとしフィルム１２の長さ１，０００ｍを検査した結果、２５個のオイル欠点１１を発見した。
【００２９】
比較例２  
図２、４に示すテンター装置でPETフィルムを製造した。フィルム２の走行速度は１００ｍ／分で、フィルム厚みが１００μｍ、１ヶ所あたりの排気手段８の風量を３Nm３／ｍｉｎとしフィルム１２の長さ１，０００ｍを検査した結果、５個のオイル欠点１１を発見した。
【００３０】
【表１】
2015030185.tif 000003
【符号の説明】
【００３１】
１：テンター装置
２：フィルム
３：フィルム把持手段
４：フィルム熱処理手段
５：把持経路
６：屈曲部
７：把持経路カバー手段
８：排気手段
９：フレキシブルダクト
１０：リターン経路
１１：オイル欠点
１２：クリップチェーン
１３：ベアリング
１４：予熱ゾーン
１５：延伸ゾーン
１６：熱固定ゾーン
１７：断熱カバー
１８：固定配管
１９：フィルタ
【図１】
2015030185.tif 000004
【図２】
2015030185.tif 000005
【図３】
2015030185.tif 000006
【図４】
2015030185.tif 000007
【図５】
2015030185.tif 000008
【図６】
2015030185.tif 000009